(57)【要約】【課題】電池交換性、及び接点のボタン電池２との接触信頼性や回路基板１３との電気接続信頼性の向上と、電気装置におけるボタン電池収納スペースの小スペース化を同時に図ることができるボタン電池収納構造を提供する。【解決手段】本体１に形成した電池出し入れ用の開口部５と、この開口部５を開閉する電池蓋６と、前記本体１の前記開口部５の奥側に形成したボタン電池２用の電池収納部１２と、この電池収納部１２に設ける＋，−の両接点１５，１６と、前記本体１の前記電池収納部１２の奥側に設置した回路基板１３とを備えたボタン電池収納構造において、前記＋，−の両接点１５，１６のうち一方の接点１５は、前記電池蓋６の裏面に設置し、＋，−の両接点１５，１６のうち一方の接点１５を電池収納部１２の開口部５側に設けても、この一方の接点１５と電池蓋６とを連動させて開口部５を開閉する。【選択図】図１
2011129413.tif 000002
【特許請求の範囲】
【請求項１】
本体に形成した電池出し入れ用の開口部と、この開口部を開閉する電池蓋と、前記本体の前記開口部の奥側に形成したボタン電池用の電池収納部と、この電池収納部に設ける＋，−の両接点と、前記本体の前記電池収納部の奥側に設置した回路基板とを備えたボタン電池収納構造において、前記＋，−の両接点のうち一方の接点は、前記電池蓋の裏面に設置することを特徴とするボタン電池収納構造。
【請求項２】
前記電池蓋を前記本体に回動開閉可能に取り付ける支点軸と、前記電池蓋を閉じた状態で前記本体に固定するための固定手段と、前記電池蓋の裏面に設置する一方の接点としてのトーションバネとを備え、前記電池蓋の裏面に設置する一方の接点に、前記支点軸を通したコイル部と、このコイル部から延出し、前記回路基板に直付けする端子部と、前記コイル部から前記電池蓋の裏面側に延出し、前記電池蓋を開く方向へ付勢し、前記電池蓋を閉じたときに前記ボタン電池と接触させる接触部とを備えることを特徴とする請求項１に記載のボタン電池収納構造。
【請求項３】
前記＋，−の両接点のうち他方の接点として前記回路基板に設置する圧縮コイルバネを備え、この他方の接点に、前記回路基板から前記電池収納部に突出し、前記ボタン電池の厚さ方向に沿って伸縮する円錐台形のコイル部と、このコイル部の大径側の巻き終わり部から延出し、前記回路基板に直付けする端子部と、前記コイル部の小径側の巻き終わり部からなり、前記ボタン電池に接触させる接触部とを備える請求項１又は２に記載のボタン電池収納構造。
【発明の詳細な説明】
【技術分野】
【０００１】
本発明は、電気装置のボタン電池収納構造に関する。
【背景技術】
【０００２】
この種のボタン電池収納構造に関し、特許文献１には、電気装置の本体に、これに対して着脱自在な電池蓋によって閉じる電池出し入れ用の開口部を形成し、この開口部の奥側にボタン電池用の電池収納部を形成し、この電池収納部の内奥部に回路基板に取り付けた板金製の−接点を設ける一方、この電池収納部の開口部側に円錐コイルバネ製の＋接点を設け、厚さが違う二種類のボタン電池に対応可能とする技術が開示されている。
【０００３】
また、電池収納部の開口部側に＋接点を設けてもボタン電池の出し入れを行えるようにするため、回路基板に取り付け、電池収納部の周辺部に立設固定した接続端子を設け、＋接点を、電池収納部の開口部側における周辺部に立った位置と中央部に倒れた位置との間で回動自在に、接続端子の先端部に取り付ける技術が開示されている。
【先行技術文献】
【特許文献】
【０００４】
【特許文献１】特開平１１−１６２４２７号公報
【発明の概要】
【発明が解決しようとする課題】
【０００５】
前記従来技術によれば、一つの電池収納部に同種のボタン電池を多数個重ね合わせた状態で収納し、ボタン電池を多数個直列接続することもできる。しかし、電池交換を行うに当り、電池蓋を取り外すときに、＋接点が電池蓋に引っ掛かり、電池蓋が取り外しにくくなり、また＋接点や接続端子を塑性変形させてしまい、＋接点のボタン電池との接触信頼性や回路基板との電気接続信頼性が低下するおそれがある。さらに電池蓋を取り付けるときには、＋接点を直接指で押して圧縮する必要があり、電池蓋が取り付けにくくなり、また＋接点や接続端子を塑性変形させてしまい、＋接点のボタン電池との接触信頼性や回路基板との電気接続信頼性が低下するおそれがある。
【０００６】
このような問題は、電池蓋とは別に＋接点を圧縮保持するための保持部材を電池蓋と＋接点との間に設けることにより解決することができる。しかし、電池蓋と＋接点との間に設ける保持部材により電気装置におけるボタン電池収納スペースが大きくなってしまうという問題を招くことになる。
【０００７】
そこで、本発明は、上記課題に鑑みてなされたもので、電池交換性、及び接点のボタン電池との接触信頼性や回路基板との電気接続信頼性の向上と、電気装置におけるボタン電池収納スペースの小スペース化を同時に図ることができるボタン電池収納構造を提供することを目的としている。
【課題を解決するための手段】
【０００８】
上記課題を解決するため本発明は、本体に形成した電池出し入れ用の開口部と、この開口部を開閉する電池蓋と、前記本体の前記開口部の奥側に形成したボタン電池用の電池収納部と、この電池収納部に設ける＋，−の両接点と、前記本体の前記電池収納部の奥側に設置した回路基板とを備えたボタン電池収納構造において、前記＋，−の両接点のうち一方の接点は、前記電池蓋の裏面に設置することを特徴とするものである。
【０００９】
このような構成を採用することにより、＋，−の両接点のうち一方の接点を電池収納部の開口部側に設けても、この一方の接点と電池蓋とを連動させて開口部を開閉することができるようになるので、電池交換性、及び電池収納部の開口部側に設ける一方の接点のボタン電池との接触信頼性や回路基板との電気接続信頼性の向上を図ることができる。また電池蓋が電池収納部の開口部側に設ける一方の接点の保持部材の役目を担い、この保持部材が不要になり、電気装置におけるボタン電池収納スペースの小スペース化を図ることができる。
【００１０】
また、本発明においては、前記電池蓋を前記本体に回動開閉可能に取り付ける支点軸と、前記電池蓋を閉じた状態で前記本体に固定するための固定手段と、前記電池蓋の裏面に設置する一方の接点としてのトーションバネとを備え、前記電池蓋の裏面に設置する一方の接点に、前記支点軸を通したコイル部と、このコイル部から延出し、前記回路基板に直付けする端子部と、前記コイル部から前記電池蓋の裏面側に延出し、前記電池蓋を開く方向へ付勢し、前記電池蓋を閉じたときに前記ボタン電池と接触させる接触部とを備えることが好ましい。
【００１１】
このような構成を採用することにより、＋，−の両接点のうち一方の接点を電池収納部の開口部側に設けても、この一方の接点と電池蓋とを連動させて開口部を開閉することができるようになるので、電池交換性、及び電池収納部の開口部側に設ける一方の接点のボタン電池との接触信頼性や回路基板との電気接続信頼性の向上を図ることができる。また電池蓋が電池収納部の開口部側に設ける一方の接点の保持部材の役目を担い、この保持部材が不要になり、電気装置におけるボタン電池収納スペースの小スペース化を図ることができる。
【００１２】
また、本発明においては、前記＋，−の両接点のうち他方の接点として前記回路基板に設置する圧縮コイルバネを備え、この他方の接点に、前記回路基板から前記電池収納部に突出し、前記ボタン電池の厚さ方向に沿って伸縮する円錐台形のコイル部と、このコイル部の大径側の巻き終わり部から延出し、前記回路基板に直付けする端子部と、前記コイル部の小径側の巻き終わり部からなり、前記ボタン電池に接触させる接触部とを備えることが好ましい。
【００１３】
このような構成を採用することにより、一つの電池収納部にボタン電池を多数個重ね合わせて収納し、ボタン電池を多数個直列接続することができる。また＋，−の両接点のうち他方の接点についてもボタン電池との接触信頼性や回路基板との電気接続信頼性を向上することができる。
【発明の効果】
【００１４】
本発明によれば、電池交換性、及び接点のボタン電池との接触信頼性や回路基板との電気接続信頼性の向上と、電気装置におけるボタン電池収納スペースの小スペース化を同時に図ることができるボタン電池収納構造を提供することができる。
【図面の簡単な説明】
【００１５】
【図１】本発明の一実施形態に係るボタン電池収納構造の斜視図である。
【図２】図１のボタン電池収納構造における電池蓋を開いた状態の断面図である。
【図３】図１のボタン電池収納構造における電池蓋を閉じた状態の断面図である。
【図４】図１のボタン電池収納構造における主要部品の斜視図である。
【発明を実施するための形態】
【００１６】
以下、図１〜図４を参照して、本発明の一実施形態に係るボタン電池収納構造を説明する。図１は、本発明の一実施形態に係るボタン電池収納構造の斜視図、図２は、図１のボタン電池収納構造における電池蓋を開いた状態の断面図、図３は、図１のボタン電池収納構造における電池蓋を閉じた状態の断面図、図４は、図１のボタン電池収納構造における主要部品の斜視図である。
【００１７】
図１〜図３において、１は、ボタン電池２を使用する小型電気装置の本体である。この本体１の外殻を構成するケーシング３の外表面に電池蓋収納凹部４を形成し、またこの電池蓋収納凹部４の中央部に後述する電池収納部１２に対してボタン電池２を出し入れするための円形の開口部５を形成し、さらにこの開口部５を開閉するために電池蓋収納凹部４に嵌合可能な電池蓋６を備えている。
【００１８】
電池蓋６は、図１〜図３に示すように、電池蓋６の外周縁部の一箇所を電池蓋収納凹部４の周辺部の一箇所に支点軸７を介して取り付けている。これにより、電池蓋６は、電池蓋収納凹部４の周辺部においてケーシング３から立ち上がる図示しない全開位置と、電池蓋収納凹部４に嵌合して開口部５を閉じる閉位置（図３に示す位置）との間で、支点軸７を中心にして回動開閉可能になっている。支点軸７は、図４に示すように、電池蓋６に一体に形成し、支点軸７の両端部を回動可能に支える軸受け（孔）は、図示しないが、ケーシング３に形成されている。
【００１９】
また、電池蓋６を閉じた状態でケーシング３に固定するための固定手段として、図３に示すように、丸頭部に一文字状の溝を有する小ネジ（ボルト）８と、ナット９とを備えている。電池蓋６を閉じたとき、小ネジ８のネジ軸部を、電池蓋６の支点軸７と反対側の先端部とそこと対応する電池蓋収納凹部４の周辺部の一箇所とに予め形成した表裏貫通の貫通孔１０，１１に通し、ケーシング３側の貫通孔１１の裏側に予め固定したナット９に螺着し、電池蓋６を閉じた状態でケーシング３に固定する。勿論、このようなネジ止めによる固定手段以外の、例えば、掛け止めによる固定手段を採用することもできる。
【００２０】
さらに、本体１のケーシング３には、図２，図３に示すように、開口部５の奥側に電池収納部１２を形成し、またこの電池収納部１２の奥側に回路基板１３を備えている。
【００２１】
回路基板１３は、開口部５の開口平面と平行な平面内でケーシング３の内部に収納固定し、電池収納部１２の内奥部にボタン電池２の円筒軸方向で開口部５と対向する閉鎖端面を形成している。またケーシング３の内面から開口部５の周辺部とそこと対向する回路基板１３の周辺部との間に複数のリブ１４を張り出し形成し、この複数のリブ１４によってボタン電池２の径方向の位置規制を行っている。したがって、電池収納部１２は、一端に開口部５を有し、他端が回路基板１３によって閉鎖され、周側を複数のリブ１４によって囲った円筒状の電池収納スペースを画成形成している。
【００２２】
電池収納部１２の深さは、ボタン電池２を厚さ方向に２個以上重ね合わせて収容可能な深さを有している。なお、電池収納部１２のボタン電池収納個数は、適宜設定可能であり、１個でも、３個以上でも構わない。
【００２３】
図４において、１５は、電池収納部１２に設ける＋，−の両接点のうち一方の接点としてのトーションバネ（コイルバネ）であり、１６は、電池収納部１２に設ける＋，−の両接点のうち他方の接点としての圧縮コイルバネ（コイルバネ）である。
【００２４】
トーションバネ１５は、図４に示すように、２つの同軸なコイル部１５ａと、各コイル部１５ａの外側（内側でも可）の巻き終わり部から、それぞれ、直線状に延出する２本の平行な端子部１５ｂと、各コイル部１５ａの内側（外側でも可）の巻き終わり部から、それぞれ、直線状に延出する２本の平行な接触部１５ｃと、各接触部１５ｃの先端同士を連続一体に繋ぐ連結部１５ｄとを有するダブルトーションバネである。図４に示すトーションバネ１５は、電池蓋６を閉じたときのものであり、端子部１５ｂと接触部１５ｃとの間の開き角度は略９０度であるが、自由状態（電池蓋６を開くために小ネジ８を外した状態）では、図２に示すように、１３５度〜１８０度の間の開き角度（本実施形態では略１５０度）になるように設定されている。なお、自由状態におけるトーションバネ１５の端子部１５ｂと接触部１５ｃとの間の開き角度は、３５度〜１８０度の間の開き角度、具体的には略１５０度になるように設定したが、これに限らず、製品に応じて適宜設定可能である。
【００２５】
また、トーションバネ１５は、図２，図３に示すように、電池蓋６の支点軸７の両端部に各コイル部１５ａを遊嵌すると共に、電池収納部１２の周辺部において電池蓋６の支点部から端子部１５ｂを回路基板１３に向けて延出し、回路基板１３に端子部１５ｂの先端部を挿入実装で半田付けをし、コイル部１５ａの、端子部１５ｂとは他方の電池蓋６の裏面側に接触部１５ｃを延出している。
【００２６】
したがって、トーションバネ１５は、＋，−の両接点のうち一方の接点として、電池蓋６の裏面に設置され、電池蓋６の回動開閉と連動し、電池蓋収納凹部４の周辺部においてケーシング３から略６０度の立ち上がり角度を持って傾斜状に立ち上がる開位置（図１，図２に示す位置）と、電池収納部１２の開口部５側に倒伏してボタン電池２に接触する閉位置（セット位置）との間で回動開閉可能であって、しかも回路基板１３に直付けされて電気的に直結されたバネ性を有する接点を構成している。なお、電池蓋６の開位置におけるケーシング３からの立ち上がり角度は、略６０度に設定したが、これに限らず、製品に応じて適宜設定可能である。
【００２７】
一方、圧縮コイルバネ１６は、図４に示すように、円錐台形のコイル部１６ａと、このコイル部１６ａの大径側の巻き終わり部からコイル部１６ａの軸方向に沿って延出する端子部１６ｂと、このコイル部１６ａの小径側の巻き終わり部からなる円弧状の接触部１６ｃとを有している。
【００２８】
また、圧縮コイルバネ１６は、図２，図３に示すように、回路基板１３にコイル部１６ａの大径側の巻き終わり部を当接すると共に、回路基板１３に端子部１６ｂを挿入実装で半田付けすることにより、回路基板１３から電池収納部１２の内部にコイル部１６ａと接触部１６ｃとを開口部５及び電池収納部１２と略同軸上で突出している。さらに、圧縮コイルバネ１６は、図２，図３から明らかなように、電池収納部１２にボタン電池２を収納していない状態において、閉位置にあるトーションバネ１５の接触部１５ｃと接触部１６ｃとの間に、ボタン電池２の１個分の厚さ以下の間隙を形成するような自由状態（最大伸張状態）と、電池収納部１２に収納限度数のボタン電池２を収納した状態において、コイル部１６ａと接触部１５とが回路基板１３の表面（一平面）上で渦巻状に平面化する最大縮小状態との間で、コイル部１６ａは伸縮するように設定されている。
【００２９】
したがって、圧縮コイルバネ１６は、＋，−の両接点のうち他方の接点として、電池蓋６の裏面と対向する回路基板１３の表面に設置され、電池収納部１２に収納されたボタン電池２に接触し、電池収納部１２に収納されたボタン電池２を電池蓋６の裏面に設置された一方の接点に圧接させ、電池収納部１２に収納されたボタン電池２を電池蓋６の裏面に設置された一方の接点との間に挟むように、電池収納部１２に収納されたボタン電池２の個数に応じてボタン電池２の厚さ方向（電池収納部１２の軸方向）に弾性変位可能であって、しかも回路基板１３に直付けされて電気的に直結されたバネ性を有する接点を構成している。
【００３０】
次に、図２，図３を参照して、以上のように構成した本発明の一実施形態に係るボタン電池収納構造の作用を、図３に示すように、本体１の電池収納部１２に収納された使用済みの２個のボタン電池２を新しいものに交換する場合で説明する。
【００３１】
図３に示すように、本体１の電池収納部１２に収納された使用済みの２個のボタン電池２を取り出す場合は、ナット９に螺着している小ネジ８を外し、電池蓋６のネジ止めによるケーシング３への固定を解除する。すると、＋，−の両接点のうち電池蓋６の裏側に設置する一方の接点（以下、この接点を「＋接点」として説明する。）を構成しているトーションバネ１５は、接触部１５ｃを、コイル部１５ａを中心に時計回りに回動させながら、電池蓋収納凹部４の周辺部においてケーシング３から略６０度の立ち上がり角度を持って傾斜状に立ち上がる位置（＋接点の開位置）に変位させて、自由状態に復帰し、このとき、接触部１５ｃがこの回動変位によって電池蓋６を押し上げ、電池蓋６の支点軸７を中心に時計回りに回動させ、また接触部１５ｃがこの回動変位位置で電池蓋６を電池蓋収納凹部４の周辺部においてケーシング３から略６０度の立ち上がり角度を持って傾斜状に立ち上がる開位置に保持する。こうして、図２に示すように、＋接点と電池蓋６とが連動して同時に、電池蓋収納凹部４の周辺部においてケーシング３から略６０度の立ち上がり角度を持って傾斜状に立ち上がる開位置に開かれると、ケーシング３の外表面に開口部５が出現するので、この開口部５から、電池収納部１２に収納された使用済みの２個のボタン電池２を本体１の外部へ取り出し、また本体１の外部から新しい２個のボタン電池２を電池収納部１２に収納することができる。なお、電池蓋６の開位置におけるケーシング３からの立ち上がり角度は、略６０度に設定したが、これに限らず、製品に応じて適宜設定可能である。
【００３２】
電池蓋６の裏側に設置する一方の接点を＋接点としているので、ボタン電池２を電池収納部１２に収納する場合は、−電極平面が内奥側になり、＋電極平面が開口部側になるように収納する。またここでは、ボタン電池２を２個収納するので、先ず１個目のボタン電池２を開口部５から電池収納部１２に挿入し、続いて、２個目のボタン電池２を１個目のボタン電池２の上に重ね合わせる。このとき、＋，−の両接点のうち回路基板１３の表面に設置した他方の接点、すなわち、「−接点」を構成している圧縮コイルバネ１６が、１個目のボタン電池２の−電極平面に接触部１６ｃを奥側から当接させ、２個のボタン電池２を奥側から支えている。
【００３３】
続いて、開状態の電池蓋６を表側から指先で押す等して、電池蓋６を支点軸７を中心に反時計回りに閉位置まで回動させ、電池蓋収納凹部４に嵌合させる。すると今度は、電池蓋６がこの閉じ方向の回動によってトーションバネ１５の接触部１５ｃを押し下げ、この接触部１５ｃをコイル部１５ａを中心に反時計回りに回動変位させ、また電池蓋６がこの閉位置で接触部１５ｃを電池収納部１２の開口部５側に倒伏する位置（＋接点の閉位置）に保持する。こうして、図３に示すように、電池蓋６と＋接点とが連動して同時に、閉位置に閉じられる。このとき、トーションバネ１５の接触部１５ｃが、２個目のボタン電池２の＋電極平面に当接し、２個のボタン電池２を圧縮コイルバネ１６を圧縮しながら電池収納部１２の内奥側へ押し込むので、図３に示すように、１個目のボタン電池２の−電極平面に接触部１６ｃを奥側から当接させた圧縮コイルバネ１６（−接点）と２個目のボタン電池２の＋電極平面に接触部１５ｃを開口部５側から当接させたトーションバネ１５（＋接点）との間に挟まれ、圧縮コイルバネ１６の付勢によって、圧縮コイルバネ１６の接触部１６ｃと１個目のボタン電池２の−電極平面とが圧接され、また１個目のボタン電池２の＋電極平面と２個目のボタン電池２の−電極平面とが圧接され、さらに２個目のボタン電池２の＋電極平面とトーションバネ１５の接触部１５ｃとが圧接された直列接続状態で、２個のボタン電池２が電池収納部１２に収納されて回路基板１３に電気接続される。そして、このような収納状態は、小ネジ８をナット９に再び螺着し、電池蓋６をネジ止めによりケーシング３に固定することにより、この固定を再び解除するまで保持することができる。こうして、２個のボタン電池２を本体１に収納保持することができ、本体１の電気部品の電源として使用することができる。
【００３４】
なお、ボタン電池２を電池収納部１２に２個以外でも２個と同様に収納することができる。また＋，−の両接点のうち、電池蓋６の裏側に設置する一方の接点を「−接点」とし、この−接点をトーションバネ１５によって構成し、回路基板１３の表面に設置する接点を「＋接点」とし、この＋接点を圧縮コイルバネ１６によって構成することもできる。さらに＋接点はダブルトーションバネ１５で構成しているが、シングルトーションバネで構成することもできる。ところで、このようなボタン電池収納構造は、ボタン電池２に対する＋，−の両接点の接点圧を圧縮コイルバネ１６で確保しているため、本体１に衝撃が加えられた場合の瞬断等を考慮すると、多数個のボタン電池２を直列接続で使用する電気装置のボタン電池収納構造に好適である。また、トーションバネに代えて板バネを用いることもできる。
【００３５】
以上から明らかなように、本発明の一実施形態に係るボタン電池収納構造は、本体１に形成した電池出し入れ用の開口部５と、この開口部５を開閉する電池蓋６と、前記本体１の前記開口部５の奥側に形成したボタン電池２用の電池収納部１２と、この電池収納部１２に設ける＋，−の両接点１５，１６と、前記本体１の前記電池収納部１２の奥側に設置した回路基板１３とを備えたボタン電池収納構造において、前記＋，−の両接点１５，１６のうち一方の接点１５は、前記電池蓋６の裏面に設置するもので、このような構成を採用することにより、＋，−の両接点１５，１６のうち一方の接点１５を電池収納部１２の開口部５側に設けても、この一方の接点１５と電池蓋６とを連動させて開口部５を開閉することができるようになるので、電池交換性、及び電池収納部１２の開口部５側に設ける一方の接点１５のボタン電池２との接触信頼性や回路基板１３との電気接続信頼性の向上を図ることができる。また電池蓋６が電池収納部１２の開口部５側に設ける一方の接点１５の保持部材の役目を担い、この保持部材が不要になり、電気装置におけるボタン電池収納スペースの小スペース化を図ることができる。この場合、電池蓋６として開閉式の電池蓋に限らず、着脱式の電池蓋も採用することができる。
【００３６】
また、本発明の一実施形態に係るボタン電池収納構造は、前記電池蓋６を前記本体１に回動開閉可能に取り付ける支点軸７と、前記電池蓋６を閉じた状態で前記本体１に固定するための固定手段８，９と、前記電池蓋６の裏面に設置する一方の接点１５としてのトーションバネとを備え、前記電池蓋６の裏面に設置する一方の接点１５に、前記支点軸７を通したコイル部１５ａと、このコイル部１５ａから延出し、前記回路基板１３に直付けする端子部１５ｂと、前記コイル部１５ａから前記電池蓋６の裏面側に延出し、前記電池蓋６を開く方向へ付勢し、前記電池蓋６を閉じたときに前記ボタン電池２と接触させる接触部１５ｃとを備えるもので、このような構成を採用することにより、＋，−の両接点１５，１６のうち一方の接点１５を電池収納部１２の開口部５側に設けても、この一方の接点１５と電池蓋６とを連動させて開口部５を開閉することができるようになるので、電池交換性、及び電池収納部１２の開口部５側に設ける一方の接点１５のボタン電池２との接触信頼性や回路基板１３との電気接続信頼性の向上を図ることができる。また電池蓋６が電池収納部１２の開口部５側に設ける一方の接点の保持部材の役目を担い、この保持部材が不要になり、電気装置におけるボタン電池収納スペースの小スペース化を図ることができる。
【００３７】
さらに、本発明の一実施形態に係るボタン電池収納構造は、前記＋，−の両接点１５，１６のうち他方の接点１６として前記回路基板１３に設置する圧縮コイルバネを備え、この他方の接点１６に、前記回路基板１３から前記電池収納部１２に突出し、前記ボタン電池２の厚さ方向に沿って伸縮する円錐台形のコイル部１６ａと、このコイル部１６ａの大径側の巻き終わり部から延出し、前記回路基板１３に直付けする端子部１６ｂと、前記コイル部１６ａの小径側の巻き終わり部からなり、前記ボタン電池２に接触させる接触部１６ｃとを備えるもので、このような構成を採用することにより、一つの電池収納部１２にボタン電池２を多数個重ね合わせて収納し、ボタン電池２を多数個直列接続することができる。また＋，−の両接点１５，１６のうち他方の接点１６についてもボタン電池２との接触信頼性や回路基板１３との電気接続信頼性を向上することができる。
【００３８】
したがって、本発明の一実施形態に係るボタン電池収納構造によれば、電池交換性、及び接点のボタン電池２との接触信頼性や回路基板１３との電気接続信頼性の向上と、電気装置におけるボタン電池収納スペースの小スペース化を同時に図ることができるボタン電池収納構造を提供することができる。
【００３９】
以上、本実施形態は、本発明に係るボタン電池収納構造の一実施形態を示したが、本発明はそれに限定されることなく、その要旨を逸脱しない範囲内で種々変形実施することができる。
【符号の説明】
【００４０】
１  本体
２  ボタン電池
５  開口部
６  電池蓋
７  支点軸
８  小ネジ（固定手段）
９  ナット（固定手段）
１２  電池収納部
１３  回路基板
１５  トーションバネ（＋，−の両接点のうち一方の接点）（＋接点）
１５ａ  コイル部
１５ｂ  端子部
１５ｃ  接触部
１６  圧縮コイルバネ（＋，−の両接点のうち他方の接点）（−接点）
１６ａ  コイル部
１６ｂ  端子部
１６ｃ  接触部
【図１】
2011129413.tif 000003
【図２】
2011129413.tif 000004
【図３】
2011129413.tif 000005
【図４】
2011129413.tif 000006